(57)【要約】本発明は、増強アンテナ及びこれを用いた広告媒体に関するものであり、電源の接続なしに電波を同時に送受信して周りの電波環境を改善する増強アンテナパターンと、前記増強アンテナパターンが形成されている誘電層と、を備えることを特徴とする。【選択図】図６
2014533477.tif 000002
【特許請求の範囲】
【請求項１】
電源の接続なしに電波を同時に送受信して周りの電波環境を改善する増強アンテナパターンと、
前記増強アンテナパターンが形成されている誘電層と、
を備えることを特徴とする増強アンテナ。
【請求項２】
前記増強アンテナパターンは前記誘電層に複数形成され、前記複数の増強アンテナパターンはアレイアンテナを形成することを特徴とする請求項１に記載の増強アンテナ。
【請求項３】
前記アレイアンテナは、前記複数の増強アンテナパターンが正方形に配列されて形成されることを特徴とする請求項２に記載の増強アンテナ。
【請求項４】
前記誘電層または前記増強アンテナパターンに広告イメージが形成されていることを特徴とする請求項１に記載の増強アンテナ。
【請求項５】
前記誘電層はフィルム状に形成され、その上に前記増強アンテナパターンが形成され、前記誘電層または前記増強アンテナパターンに前記広告イメージが形成されて広告シートとして用いられることを特徴とする請求項４に記載の増強アンテナ。
【請求項６】
前記誘電層または前記増強アンテナパターンに接着層が形成されて広告ステッカーとして用いられることを特徴とする請求項４に記載の増強アンテナ。
【請求項７】
前記誘電層と前記増強アンテナパターンが透明な物質から形成されて、増強アンテナの全方向に前記広告イメージを露出させることを特徴とする請求項４に記載の増強アンテナ。
【請求項８】
前記誘電層と前記増強アンテナパターンが電子製品の表面に形成されることを特徴とする請求項１に記載の増強アンテナ。
【請求項９】
前記増強アンテナパターンは、それぞれの給電部の一方の末端が互いに連結されてそれぞれ相対向するパターンと対称状に配置される４つの放射素子パターンを備え、前記放射素子パターンのそれぞれは、共振周波数の大きさ順に平面上に順次に配置され、正の信号成分として動作する複数の放射素子と、前記正の信号成分として動作する複数の放射素子と同じ平面上においてダイポールアンテナ状に配置され、共振周波数の大きさ順に順次に配置され、負の信号成分として動作する複数の放射素子と、を備え、前記正の信号成分として動作する複数の放射素子と前記負の信号成分として動作する複数の放射素子が給電部を基準としてＶ字状に配置されて前記放射素子パターン一つを形成することを特徴とする請求項１に記載の増強アンテナ。
【請求項１０】
前記４つの放射素子パターンは、第１の放射素子パターン、第２の放射素子パターン、第３の放射素子パターン、及び第４の放射素子パターンを備え、前記第１の放射素子パターンの正の信号成分側の給電部と前記第４の放射素子パターンの負の信号成分側の給電部がインピーダンス整合されて電気的に接続され、前記第２の放射素子パターンの正の信号成分側の給電部と前記第１の放射素子パターンの負の信号成分側の給電部がインピーダンス整合されて電気的に接続され、前記第３の放射素子パターンの正の信号成分側の給電部と前記第２の放射素子パターンの負の信号成分側の給電部がインピーダンス整合されて電気的に接続され、前記第４の放射素子パターンの正の信号成分側の給電部と前記第３の放射素子パターンの負の信号成分側の給電部がインピーダンス整合されて電気的に接続されることを特徴とする請求項９に記載の増強アンテナ。
【請求項１１】
広告媒体において、誘電物質からなる誘電層と、前記誘電層に形成され、電源の接続なしに電波を同時に送受信して周りの電波環境を改善する増強アンテナパターンと、を備え、広告に用いられながら電波環境の改善に寄与することを特徴とする広告媒体。
【請求項１２】
前記誘電層または前記増強アンテナパターンに広告イメージが形成されていることを特徴とする請求項１１に記載の広告媒体。
【請求項１３】
前記誘電層がフィルム状に形成されて広告シート状に形成されることを特徴とする請求項１２に記載の広告媒体。
【請求項１４】
前記誘電層または前記増強アンテナパターンに接着層が形成されて広告ステッカー状に形成されることを特徴とする請求項１２に記載の広告媒体。
【請求項１５】
前記誘電層または前記増強アンテナパターンと結合する磁石をさらに備えることを特徴とする請求項１２に記載の広告媒体。
【請求項１６】
前記増強アンテナパターンは、それぞれの給電部の一方の末端が互いに連結されてそれぞれ相対向するパターンと対称状に配置される４つの放射素子パターンを備え、前記放射素子パターンのそれぞれは、共振周波数の大きさ順に平面上に順次に配置され、正の信号成分として動作する複数の放射素子と、前記正の信号成分として動作する複数の放射素子と同じ平面上においてダイポールアンテナ状に配置され、共振周波数の大きさ順に順次に配置され、負の信号成分として動作する複数の放射素子と、を備え、前記正の信号成分として動作する複数の放射素子と前記負の信号成分として動作する複数の放射素子が給電部を基準としてＶ字状に配置されて前記放射素子パターン一つを形成することを特徴とする請求項１１に記載の広告媒体。
【請求項１７】
前記４つの放射素子パターンは、第１の放射素子パターン、第２の放射素子パターン、第３の放射素子パターン、及び第４の放射素子パターンを備え、前記第１の放射素子パターンの正の信号成分側の給電部と前記第４の放射素子パターンの負の信号成分側の給電部がインピーダンス整合されて電気的に接続され、前記第２の放射素子パターンの正の信号成分側の給電部と前記第１の放射素子パターンの負の信号成分側の給電部がインピーダンス整合されて電気的に接続され、前記第３の放射素子パターンの正の信号成分側の給電部と前記第２の放射素子パターンの負の信号成分側の給電部がインピーダンス整合されて電気的に接続され、前記第４の放射素子パターンの正の信号成分側の給電部と前記第３の放射素子パターンの負の信号成分側の給電部がインピーダンス整合されて電気的に接続されることを特徴とする請求項１６に記載の広告媒体。
【請求項１８】
（ａ）誘電層に形成され、電源の接続なしに電波を同時に送受信して周りの電波環境を改善する増強アンテナパターンを広告媒体に埋め込むステップと、
（ｂ）前記広告媒体を人々に露出させるステップと、
を含むことを特徴とする増強アンテナを用いた広告方法。
【請求項１９】
前記ステップ（ａ）の前記誘電層または前記増強アンテナパターンには広告イメージが形成されていることを特徴とする請求項１８に記載の増強アンテナを用いた広告方法。
【請求項２０】
前記広告媒体は、物体の表面に取り付けられることを特徴とする請求項１９に記載の増強アンテナを用いた広告方法。
【請求項２１】
前記広告媒体は磁石または接着層を備えて物体の表面に取り付けられることを特徴とする請求項２０に記載の増強アンテナを用いた広告方法。
【請求項２２】
前記増強アンテナパターンは、それぞれの給電部の一方の末端が互いに連結されてそれぞれ相対向するパターンと対称状に配置される４つの放射素子パターンを備え、前記放射素子パターンのそれぞれは、共振周波数の大きさ順に平面上に順次に配置され、正の信号成分として動作する複数の放射素子と、前記正の信号成分として動作する複数の放射素子と同じ平面上においてダイポールアンテナ状に配置され、共振周波数の大きさ順に順次に配置され、負の信号成分として動作する複数の放射素子と、を備え、前記正の信号成分として動作する複数の放射素子と前記負の信号成分として動作する複数の放射素子が給電部を基準としてＶ字状に配置されて前記放射素子パターン一つを形成することを特徴とする請求項１８に記載の増強アンテナを用いた広告方法。
【請求項２３】
前記４つの放射素子パターンは、第１の放射素子パターン、第２の放射素子パターン、第３の放射素子パターン、及び第４の放射素子パターンを備え、前記第１の放射素子パターンの正の信号成分側の給電部と前記第４の放射素子パターンの負の信号成分側の給電部がインピーダンス整合されて電気的に接続され、前記第２の放射素子パターンの正の信号成分側の給電部と前記第１の放射素子パターンの負の信号成分側の給電部がインピーダンス整合されて電気的に接続され、前記第３の放射素子パターンの正の信号成分側の給電部と前記第２の放射素子パターンの負の信号成分側の給電部がインピーダンス整合されて電気的に接続され、前記第４の放射素子パターンの正の信号成分側の給電部と前記第３の放射素子パターンの負の信号成分側の給電部がインピーダンス整合されて電気的に接続されることを特徴とする請求項２２に記載の増強アンテナを用いた広告方法。
【発明の詳細な説明】
【技術分野】
【０００１】
本発明は、増強アンテナ及びこれを用いた広告媒体に係り、より詳しくは、電源の接続なしに自体において電波を送受信して周りの電波環境を改善する増強アンテナパターン及びこれを用いた広告媒体に関する。
【発明の概要】
【発明が解決しようとする課題】
【０００２】
本発明の一実施形態による増強アンテナ及びこれを用いた広告媒体は、電源の接続なしに電波環境が良くない自由空間上の無線信号を同時に送受信して無線通信システムのカバーレッジを拡張可能にすることを解決課題とする。
【０００３】
また、本発明の一実施形態による増強アンテナ及びこれを用いた広告媒体は、電波環境を改善するアンテナパターンを我々の周りの物体の表面に適用可能にすることを解決課題とする。
【０００４】
さらに、本発明の一実施形態による増強アンテナ及びこれを用いた広告媒体は、電波環境の改善のためのアンテナパターンをシートやステッカーなどの広告媒体に形成し、前記アンテナパターンに広告イメージを形成して機能性広告を実現可能にすることを解決課題とする。
【０００５】
さらに、本発明の一実施形態による増強アンテナ及びこれを用いた広告媒体は、広告媒体に電波環境の改善の効果を与えて、消費者が能動的に広告媒体を周りに設置可能にすることを解決課題とする。
【０００６】
さらに、本発明の一実施形態による増強アンテナ及びこれを用いた広告媒体は、端末を多重電波信号環境に露出させずに電波環境を改善するとともに広告の効果まで得るようにすることを解決課題とする。
【０００７】
さらに、本発明の一実施形態による増強アンテナ及びこれを用いた広告媒体は、中継器と超小型基地局の拡張なしに安価に電波環境を改善し、これに加えて広告効果も得るようにすることを解決課題とする。
【０００８】
さらに、本発明の一実施形態による増強アンテナ及びこれを用いた広告媒体は、マルチカップリング誘導により広い周波数帯域幅を持たせることを解決課題とする。
【課題を解決するための手段】
【０００９】
上記の課題を解消するための、本発明の一実施形態による増強アンテナは、電源の接続なしに電波を同時に送受信して周りの電波環境を改善する増強アンテナパターンと、前記増強アンテナパターンが形成されている誘電層と、を備えることを特徴とする。
【００１０】
また、好ましくは、本発明の一実施形態による増強アンテナは、前記増強アンテナパターンが前記誘電層に複数形成され、前記複数の増強アンテナパターンはアレイアンテナを形成する。
【００１１】
さらに、好ましくは、本発明の一実施形態による増強アンテナは、前記アレイアンテナが、前記複数の増強アンテナパターンが正方形に配列されて形成される。
【００１２】
さらに、好ましくは、本発明の一実施形態による増強アンテナは、前記誘電層または前記増強アンテナパターンに広告イメージが形成されている。
【００１３】
さらに、好ましくは、本発明の一実施形態による増強アンテナは、前記誘電層はフィルム状に形成され、その上に前記増強アンテナパターンが形成され、前記誘電層または前記増強アンテナパターンに前記広告イメージが形成されて広告シートとして用いられる。
【００１４】
さらに、好ましくは、本発明の一実施形態による増強アンテナは、前記誘電層または前記増強アンテナパターンに接着層が形成されて広告ステッカーとして用いられる。
【００１５】
さらに、好ましくは、本発明の一実施形態による増強アンテナは、前記誘電層と前記増強アンテナパターンが透明な物質から形成されて、増強アンテナの全方向に前記広告イメージを露出させる。
【００１６】
さらに、好ましくは、本発明の一実施形態による増強アンテナは、前記誘電層と前記増強アンテナパターンが電子製品の表面に形成される。
【００１７】
さらに、好ましくは、本発明の一実施形態による増強アンテナは、前記増強アンテナパターンが、それぞれの給電部の一方の末端が互いに連結されてそれぞれ相対向するパターンと対称状に配置される４つの放射素子パターンを備え、前記放射素子パターンのそれぞれは、共振周波数の大きさ順に平面上に順次に配置され、正の信号成分として動作する複数の放射素子と、前記正の信号成分として動作する複数の放射素子と同じ平面上においてダイポールアンテナ状に配置され、共振周波数の大きさ順に順次に配置され、負の信号成分として動作する複数の放射素子と、を備え、前記正の信号成分として動作する複数の放射素子と前記負の信号成分として動作する複数の放射素子が給電部を基準としてＶ字状に配置されて前記放射素子パターン一つを形成する。
【００１８】
さらに、好ましくは、本発明の一実施形態による増強アンテナは、前記４つの放射素子パターンが、第１の放射素子パターンと、第２の放射素子パターンと、第３の放射素子パターン及び第４の放射素子パターンを備え、前記第１の放射素子パターンの正の信号成分側の給電部と前記第４の放射素子パターンの負の信号成分側の給電部がインピーダンス整合されて電気的に接続され、前記第２の放射素子パターンの正の信号成分側の給電部と前記第１の放射素子パターンの負の信号成分側の給電部がインピーダンス整合されて電気的に接続され、前記第３の放射素子パターンの正の信号成分側の給電部と前記第２の放射素子パターンの負の信号成分側の給電部がインピーダンス整合されて電気的に接続され、前記第４の放射素子パターンの正の信号成分側の給電部と前記第３の放射素子パターンの負の信号成分側の給電部がインピーダンス整合されて電気的に接続される。
【００１９】
また、上記の課題を解決するための本発明の一実施形態による広告媒体は、誘電物質からなる誘電層と、前記誘電層に形成され、電源の接続なしに電波を同時に送受信して周りの電波環境を改善する増強アンテナパターンと、を備え、広告に用いられながら電波環境の改善に寄与することを特徴とする。
【００２０】
また、好ましくは、本発明の一実施形態による広告媒体は、前記誘電層または前記増強アンテナパターンに広告イメージが形成されている。
【００２１】
さらに、好ましくは、本発明の一実施形態による広告媒体は、前記誘電層がフィルム状に形成されて広告シート状に形成される。
【００２２】
さらに、好ましくは、本発明の一実施形態による広告媒体は、前記誘電層または前記増強アンテナパターンに接着層が形成されて広告ステッカー状に形成される。
【００２３】
さらに、好ましくは、本発明の一実施形態による広告媒体は、前記誘電層または前記増強アンテナパターンと結合する磁石をさらに備える。
【００２４】
さらに、好ましくは、本発明の一実施形態による広告媒体は、前記増強アンテナパターンが、それぞれの給電部の一方の末端が互いに連結されてそれぞれ相対向するパターンと対称状に配置される４つの放射素子パターンを備え、前記放射素子パターンのそれぞれは、共振周波数の大きさ順に平面上に順次に配置され、正の信号成分として動作する複数の放射素子と、前記正の信号成分として動作する複数の放射素子と同じ平面上においてダイポールアンテナ状に配置され、共振周波数の大きさ順に順次に配置され、負の信号成分として動作する複数の放射素子と、を備え、前記正の信号成分として動作する複数の放射素子と前記負の信号成分として動作する複数の放射素子が給電部を基準としてＶ字状に配置されて前記放射素子パターン一つを形成する。
【００２５】
さらに、好ましくは、本発明の一実施形態による広告媒体は、前記４つの放射素子パターンが、第１の放射素子パターンと、第２の放射素子パターンと、第３の放射素子パターン及び第４の放射素子パターンを備え、前記第１の放射素子パターンの正の信号成分側の給電部と前記第４の放射素子パターンの負の信号成分側の給電部がインピーダンス整合されて電気的に接続され、前記第２の放射素子パターンの正の信号成分側の給電部と前記第１の放射素子パターンの負の信号成分側の給電部がインピーダンス整合されて電気的に接続され、前記第３の放射素子パターンの正の信号成分側の給電部と前記第２の放射素子パターンの負の信号成分側の給電部がインピーダンス整合されて電気的に接続され、前記第４の放射素子パターンの正の信号成分側の給電部と前記第３の放射素子パターンの負の信号成分側の給電部がインピーダンス整合されて電気的に接続される。
【００２６】
さらに、上記の課題を解決するための本発明の一実施形態による広告方法は、（ａ）誘電層に形成され、電源の接続なしに電波を同時に送受信して周りの電波環境を改善する増強アンテナパターンを広告媒体に埋め込むステップと、（ｂ）前記広告媒体を人々に露出させるステップと、を含むことを特徴とする。
【００２７】
また、好ましくは、本発明の一実施形態による広告方法は、前記ステップ（ａ）の前記誘電層または前記増強アンテナパターンには広告イメージが形成されている。
【００２８】
さらに、好ましくは、本発明の一実施形態による広告方法は、前記広告媒体が物体の表面に取り付けられる。
【００２９】
さらに、好ましくは、本発明の一実施形態による広告方法は、前記広告媒体が磁石または接着層を備えて物体の表面に取り付けられる。
【００３０】
さらに、好ましくは、本発明の一実施形態による広告方法は、前記増強アンテナパターンが、それぞれの給電部の一方の末端が互いに連結されてそれぞれ相対向するパターンと対称状に配置される４つの放射素子パターンを備え、前記放射素子パターンのそれぞれは、共振周波数の大きさ順に平面上に順次に配置され、正の信号成分として動作する複数の放射素子と、前記正の信号成分として動作する複数の放射素子と同じ平面上においてダイポールアンテナ状に配置され、共振周波数の大きさ順に順次に配置され、負の信号成分として動作する複数の放射素子と、を備え、前記正の信号成分として動作する複数の放射素子と前記負の信号成分として動作する複数の放射素子が給電部を基準としてＶ字状に配置されて前記放射素子パターン一つを形成する。
【００３１】
さらに、好ましくは、本発明の一実施形態による広告方法は、前記４つの放射素子パターンが、第１の放射素子パターンと、第２の放射素子パターンと、第３の放射素子パターン及び第４の放射素子パターンを備え、前記第１の放射素子パターンの正の信号成分側の給電部と前記第４の放射素子パターンの負の信号成分側の給電部がインピーダンス整合されて電気的に接続され、前記第２の放射素子パターンの正の信号成分側の給電部と前記第１の放射素子パターンの負の信号成分側の給電部がインピーダンス整合されて電気的に接続され、前記第３の放射素子パターンの正の信号成分側の給電部と前記第２の放射素子パターンの負の信号成分側の給電部がインピーダンス整合されて電気的に接続され、前記第４の放射素子パターンの正の信号成分側の給電部と前記第３の放射素子パターンの負の信号成分側の給電部がインピーダンス整合されて電気的に接続される。
【発明の効果】
【００３２】
本発明の一実施形態による増強アンテナ及びこれを用いた広告媒体は、電源の接続なしに電波環境が良くない自由空間上の無線信号を同時に送受信して無線通信システムのカバーレッジを拡張できる。
【００３３】
また、本発明の一実施形態による増強アンテナ及びこれを用いた広告媒体は、電波環境の改善のためのアンテナパターンをシートやステッカーなどの広告媒体に形成し、前記アンテナパターンに広告イメージを形成して機能性広告を実現できる。
【００３４】
さらに、本発明の一実施形態による増強アンテナ及びこれを用いた広告媒体は、広告媒体に電波環境の改善の効果を与えて、消費者が能動的に広告媒体を生活空間に設置可能にできる。
【００３５】
さらに、本発明の一実施形態による増強アンテナ及びこれを用いた広告媒体は、電波環境を改善するアンテナパターンを我々の周りの物体の表面に適用できる。これにより、電波環境の改善が必要な電子製品の表面に適用されて当該製品の電波環境の改善に寄与できる。
【００３６】
さらに、本発明の一実施形態による増強アンテナ及びこれを用いた広告媒体は、端末を多重電波信号環境に露出させずに電波環境を改善するとともに広告の効果まで得ることができる。
【００３７】
さらに、本発明の一実施形態による増強アンテナ及びこれを用いた広告媒体は、中継器と超小型基地局の拡張なしに安価に電波環境を改善し、これに加えて広告効果まで得ることができる。
【００３８】
さらに、本発明の一実施形態による増強アンテナ及びこれを用いた広告媒体は、電源の接続なしに電波環境を改善できて、環境にやさしい技術として用いることができる。
【００３９】
さらに、本発明の一実施形態による増強アンテナ及びこれを用いた広告媒体は、マルチカップリング誘導により広い周波数帯域幅を持たせることができる。
【図面の簡単な説明】
【００４０】
【図１】本発明の実施形態による増強アンテナを示す図である。
【図２】本発明の一実施形態による周波数帯域による増強アンテナを示す図である。
【図３】本発明の一実施形態による増強アンテナがアレイアンテナを形成したことを示す図である。
【図４】本発明の一実施形態による増強アンテナがアレイアンテナを形成したことを示す図である。
【図５】本発明の一実施形態によるアレイアンテナ状の増強アンテナが電波を改善する範囲を示す図である。
【図６】本発明の一実施形態による増強アンテナが埋め込まれている広告媒体を示す図である。
【図７】本発明の一実施形態による増強アンテナが埋め込まれている広告媒体を示す図である。
【図８】本発明の一実施形態による増強アンテナパターンの構成を示す構成図である。
【図９】本発明の一実施形態による増強アンテナの反射係数の特性を示すグラフである。
【図１０】本発明の一実施形態による増強アンテナの反射係数の特性を示すグラフである。
【図１１】本発明の一実施形態による増強アンテナの反射係数の特性を示すグラフである。
【図１２】本発明の一実施形態による増強アンテナの伝達係数の特性を示すグラフである。
【図１３】本発明の一実施形態による増強アンテナの伝達係数の特性を示すグラフである。
【図１４】本発明の一実施形態による増強アンテナの電波放射特性を示す図である。
【図１５】本発明の一実施形態による増強アンテナに埋め込まれる放射素子パターンの構成を示す構成図である。
【図１６】Ｖ字状ダイポールアンテナの反射係数特性を示すグラフである。
【図１７】本発明の一実施形態による増強アンテナに埋め込まれる放射素子パターンの反射係数特性を示すグラフである。
【発明を実施するための形態】
【００４１】
以下、本発明による増強アンテナとこれを用いた広告媒体及び広告方法について説明する。
【００４２】
開示される実施形態は、本発明の思想を当業者が容易に理解できるように提供されるものであり、これらによって本発明が限定されることはない。なお、添付図面に示す事項は、本発明の実施形態を容易に説明するために図式化されたものであり、実際の実現形態とは異なる場合がある。
【００４３】
参考までに、本明細書における増強アンテナという用語は、電波を増強させて周りの電波環境を改善する本発明のアンテナのことを言う。
【００４４】
以下、図１乃至図１７に基づき、本発明の一実施形態による増強アンテナとこれを用いた広告媒体及び広告方法について詳細に説明する。
【００４５】
検討順序について述べると、先ず、図１乃至図７に基づいて本発明の一実施形態による増強アンテナとこれを用いた広告媒体及び広告方法について詳細に検討し、次いで、図８乃至図１７に基づいて本発明の一実施形態による増強アンテナに埋め込まれるパターンの具体例について詳細に検討する。
【００４６】
本発明による増強アンテナは、電源の接続なしに電波を同時に送受信して周りの電波環境を改善する増強アンテナパターン及び前記増強アンテナパターンが形成されている誘電層を備える。
【００４７】
図１を参照すると、このような本発明による増強アンテナの一実施形態について検討できるが、このような前記増強アンテナは、図１に示す形状に加えて種々の形状に形成可能である（参考までに、図１からは前記増強アンテナパターンの様子のみを視認できるが、視認できない前記増強アンテナパターンの反対側面に誘電層が形成されている）。
【００４８】
前記増強アンテナパターンは、給電線を介して外部から電源を接続なしに自体において電波を同時に送受信可能な構成であり、前記増強アンテナパターンが位置する周りの電波を増強させて電波環境を改善する構成である。
【００４９】
ここで、前記増強アンテナパターンは、電波を送受信可能な複数の放射素子パターンの結合により形成可能であるが、これらの前記複数の放射素子パターンの給電部が外部の給電線と接続されることなく内部的に互いに接続されて前記増強アンテナパターンを形成する。このため、一つの放射素子パターンに受信された電波が他の放射素子パターンに伝達されて放射され、この過程により電波の送受信が同時に行われて周りの電波環境を改善する。
【００５０】
また、前記増強アンテナパターンは様々な形状に形成可能であるが、具体的に、前記複数の放射素子パターンの給電部を互いに接続した状態において様々な形状に結合して前記増強アンテナパターンを形成できる。この場合、前記増強アンテナパターンは対称的な構造を有するように形成されることが好ましいが、図１に基づいて本発明の一実施形態について説明すると、前記増強アンテナパターンはＶ字状に形成される４つの放射素子パターンが互いに対称状に結合して形成される。
【００５１】
そして、前記増強アンテナパターンは電波環境を改善する目標周波数帯域の大きさに応じて様々なサイズに形成可能であるが、具体的に、前記増強アンテナパターンを構成する放射素子パターンのサイズを調節して共振周波数を調節でき、このような共振周波数の調節により目標とする周波数帯域の電波を送受信する増強アンテナを形成できる。図２に基づいて本発明の一実施形態について説明すると、本発明の一実施形態による「＋」字状若しくは「ｘ」字状の増強アンテナパターンは図示のサイズに調節可能であり、これにより、２．４ＧＨｚ、２．１ＧＨｚ、８００ＭＨｚ帯域の電波環境を改善する増強アンテナが形成される。
【００５２】
一方、前記増強アンテナパターンは前記誘電層に複数形成されてもよいが、ここで、前記複数の増強アンテナパターンはアレイアンテナを形成しながら前記誘電層に形成されることが好ましい。また、前記複数の増強アンテナパターンは、図３及び図４に示すように、正方形のアレイアンテナを形成することが好ましいが、このような正方形のアレイアンテナにより電波環境の改善のカバーレッジをさらに拡張できるためである。図４及び図５に基づき、正方形のアレイアンテナの一実施形態について検討すると、正方形に配列される２．４ＧＨｚ（ＷｉＦｉ）帯域の増強アンテナパターンが４、９、１００、２２５、４００個に増えることに伴い、電波環境の改善の領域が次第に広くなり、具体的に、５０％改善された電波環境領域が３．５、５、６、７ｍなどに次第に拡張された。
【００５３】
最後に、前記増強アンテナパターンの材質について述べると、前記増強アンテナパターンとこれを構成する前記放射素子パターンは伝導性物質により形成可能であり、好ましくは、透明な伝導性物質により形成可能である。具体的に、前記増強アンテナパターンは、金属、ポリシリコン（Ｐｏｌｙｓｉｌｉｃｏｎ）、セラミック（Ｃｅｒａｍｉｃ）、カーボンファイバ（Ｃａｒｂｏｎ  ｆｉｂｅｒ）、伝導性インキ（Ｃｏｎｄｕｃｔｉｖｅ  ｉｎｋ）、伝導性ペースト（Ｃｏｎｄｕｃｔｉｖｅ  ｐａｓｔｅ）、酸化インジウムスズ（ＩＴＯ：Ｉｎｄｉｕｍ  Ｔｉｎ  Ｏｘｉｄｅ）、炭素ナノチューブ（ＣＮＴ：Ｃａｒｂｏｎ  Ｎａｎｏ  Ｔｕｂｅ）または伝導性高分子などにより形成可能である。
【００５４】
前記誘電層は、誘電物質からなり、片面に前記増強アンテナパターンが形成される。
【００５５】
ここで、前記誘電層を構成する物質としては種々の物質が挙げられるが、好ましくは、透明な誘電物質が挙げられる。具体的な実施形態を挙げると、前記誘電層は、ＰＣＢ、ＰＥＴ、透明ガラス、透明プラスチックなどにより形成可能である。
【００５６】
上述した本発明による増強アンテナは、電源の接続なしに電波を同時に送受信して電波環境を改善でき、前記誘電層と前記増強アンテナパターンを平面状に形成して様々な物体の表面に前記増強アンテナを適用できる。具体的に、前記増強アンテナをシート状に形成して物体の表面に適用でき、好ましくは、接着層をさらに埋め込んでステッカー状に物体の表面に適用できる。また、金属製の物体の表面に前記増強アンテナパターンを形成して本発明を適用でき、金属以外の他の伝導性物質からなる物体の表面にも前記増強アンテナパターンを形成できる。
【００５７】
一方、前記誘電層と増強アンテナパターンが形成される物体は、伝導性物質から表面が構成される様々な物体であってもよいが、好ましくは、電波環境の改善の直接的な影響を受ける電子製品であってもよい。
【００５８】
以下では、このような電波環境の改善の機能を有する増強アンテナと広告イメージを組み合わせて消費者の能動的な広告への参与を可能にする増強アンテナの実施形態について述べる。
【００５９】
本発明による増強アンテナは広告イメージをさらに備えていてもよいが、ここで、前記広告イメージは前記誘電層または前記増強アンテナパターンに形成されてもよい。
【００６０】
また、前記広告イメージは様々な方式により形成されてもよく、具体的に、凸版印刷（Ｌａｔｔｅｒｐｒｅｓｓ）、凸版輪転印刷（Ｒｏｔａｒｙ  Ｌａｔｔｅｒｐｒｅｓｓ）、オフセット印刷（Ｏｆｆｓｅｔ）、シルクスクリーン印刷（Ｓｉｌｋ  Ｓｃｒｅｅｎ）、グラビア印刷（Ｇｒａｖｕｒｅ）、フレキソ印刷（ｆｌｅｘｏ）など種々の方式を用いて前記広告イメージを形成できる。
【００６１】
広告イメージ付き増強アンテナのいくつかの実施形態について述べると、先ず、前記広告イメージ付き増強アンテナは、前記誘電層がフィルム状に形成され、その上に前記増強アンテナパターンが形成され、前記誘電層または前記増強アンテナパターンに前記広告イメージが形成されて広告シートとして用いられる。
【００６２】
このような前記広告シートは種々の広告媒体に適用可能であるが、具体的に、広告看板、広告ポスター、広告チラシ、ショッピングバッグ、カタログ、メニュー板、張り紙、販促物などシートの構成が適用可能な種々の広告媒体に適用可能である。
【００６３】
このため、このような広告シートにより従来のように広告を行うことはもとより、前記広告シートによりさらなる電波環境の改善の効果も得られる。また、前記広告シート付き広告媒体に電波環境の改善という機能性を与えることから、消費者が生活環境の中において前記広告媒体に能動的に接するようにできる。
【００６４】
次いで、前記広告イメージ付き増強アンテナは、前記誘電層または増強アンテナパターンに接着層が形成されて広告ステッカーとしても用いられる。
【００６５】
このような広告ステッカーとして形成可能な増強アンテナは、生活環境に存在する様々な物体の表面に適用可能であるが、これにより、前記増強アンテナの生活環境の中への設置が容易になる。具体的に、ガラス窓、壁、扉、家電製品の表面などに設置されてもよく、電波環境の改善が直接的に必要とされる携帯電話、タブレットＰＣ、ノート型パソコンなどの電子製品に直接的に設置されてもよい。
【００６６】
また、前記広告ステッカーとして形成される増強アンテナは、販売されるバンドル物品として提供可能であるが、具体的に、電波環境の改善が重要視される携帯電話、タブレットＰＣ、ノート型パソコンなどのＩＴ機器製品のバンドル物品として含まれてもよく、このような形により消費者に提供されて前記増強アンテナの生活環境の中への設置を誘導できる。
【００６７】
一方、前記広告イメージ付き増強アンテナは、前記誘電層と前記増強アンテナパターンを透明な物質から形成してもよく、これにより、増強アンテナに形成された前記広告イメージを全方向に露出させて広告効果を顕著に高めることができる。
【００６８】
図６及び図７に基づいて、本発明の一実施形態について述べると、前記増強アンテナは、前記誘電層と前記増強アンテナパターンを透明な物質から形成し、企業広告イメージを備え、接着層をさらに備える広告ステッカー状に形成可能である。このように構成された前記増強アンテナは、図６及び図７に示すように、生活環境中のガラス窓に設置されてもよいが、このような設置により周りの電波環境を改善し、透明な構成により全方向に広告イメージを露出させる。
【００６９】
以下、本発明の一実施形態による増強アンテナを用いた広告媒体について詳細に説明する。
【００７０】
広告媒体とは、広告主が消費者に広告メッセージを伝達するのに用いられる媒介手段のことをいい、我々の周りのオンラインまたはオフライン環境の中において様々な形により存在する。しかしながら、従来の広告媒体は単に広告のみの機能に集中して消費者に一種の公害として認識され、膨大な種類と量により消費者の生活に一方的に浸透しようとしている一方であり、消費者に拒否感を与えていた。
【００７１】
このため、消費者の能動的な広告への参与を誘導可能な広告媒体の開発が求められている。
【００７２】
本発明の一実施形態による広告媒体は、電波環境を改善する増強アンテナという構成をさらに備えて広告媒体に電波環境の改善というさらなる機能を与え、これにより、前記広告媒体を単なる広告手段ではなく、機能的な補助製品として消費者に認識される。これにより、広告媒体に対する消費者の拒否感を半減でき、広告媒体の生活環境の中への設置のための消費者の能動的な行為を誘導する。
【００７３】
このような本発明の一実施形態による広告媒体について詳細に説明すると、前記広告媒体は、誘電物質からなる誘電層と、前記誘電層に形成され、電源の接続なしに電波を同時に送受信して周りの電波環境を改善する増強アンテナパターンと、を備える。
【００７４】
ここで、前記誘電層と増強アンテナパターンは、上述した「増強アンテナ」という発明のカテゴリに含まれている誘電層、増強アンテナパターンと同じ構成であり、重複する説明を防ぐために詳細な説明は省略する。
【００７５】
一方、本発明の一実施形態による広告媒体は種々の形状に形成可能であるが、先ず、前記誘電層がフィルム状に形成されて広告シート状に形成されてもよい。
【００７６】
このような前記広告シートは種々の広告媒体に適用可能であるが、具体的に、広告看板、広告ポスター、広告チラシ、ショッピングバッグ、カタログ、メニュー板、張り紙、販促物などシートの構成が適用可能な種々の広告媒体に適用可能である。
【００７７】
このため、このような広告シートにより従来のように広告を行うことはもとより、前記広告シートによりさらなる電波環境の改善の効果も得られる。また、前記広告シート付き広告媒体に電波環境の改善という機能性を与えることから、消費者が生活環境の中において前記広告媒体に能動的に接するようにできる。
【００７８】
また、本発明の一実施形態による広告媒体は、前記誘電層または前記増強アンテナパターンに接着層が形成されて広告ステッカー状に形成されてもよい。
【００７９】
このような広告ステッカーとして形成可能な増強アンテナは、生活環境に存在する様々な物体の表面に適用可能であるが、これにより、前記増強アンテナの生活環境の中への設置が容易になる。具体的に、ガラス窓、壁、扉、家電製品の表面などに設置されてもよく、電波環境の改善が直接的に必要とされる携帯電話、タブレットＰＣ、ノート型パソコンなどの電子製品に直接的に設置されてもよい。
【００８０】
また、本発明の一実施形態による広告媒体は、前記誘電層または前記増強アンテナパターンと結合する磁石をさらに備えていてもよい。このため、磁石販促物の形により用いられてもよく、消費者が冷蔵庫、鉄扉など金属製品の表面に広告媒体を設置するように誘導できる。
【００８１】
参考までに、前記広告媒体は上述した実施形態に限定されるものではなく、この技術分野における通常の知識を有する者にとって容易な範囲内において種々に形成可能である。
【００８２】
以下、本発明の一実施形態による増強アンテナを用いた広告方法について詳細に説明する。
【００８３】
本発明の一実施形態による増強アンテナを用いた広告方法は、（ａ）誘電層に形成され、電源の接続なしに電波を同時に送受信して周りの電波環境を改善する増強アンテナパターンを広告媒体に埋め込むステップと、（ｂ）前記広告媒体を人々に露出させるステップと、を含む。
【００８４】
ここで、前記ステップ（ａ）の前記誘電層または前記増強アンテナパターンには広告イメージが形成されていることが好ましく、前記広告媒体は磁石または接着層を備えて物体の表面に取り付けられることが好ましい。
【００８５】
一方、本発明の一実施形態による増強アンテナを用いた広告方法に含まれる誘電層、増強アンテナパターン、広告イメージの形成、広告媒体に関する具体的な技術内容は、上述した「増強アンテナ」及び「広告媒体」と同一性があり、重複する説明を防ぐために詳細な説明は省略する。
【００８６】
以下、図８乃至図１７に基づき、本発明の一実施形態による増強アンテナ、広告媒体及び広告方法に含まれる増強アンテナパターンの具体例について詳細に説明する。
【００８７】
上述した増強アンテナ、広告媒体及び広告方法は、増強アンテナパターンを構成として備えている。このような前記増強アンテナパターンは、電源の接続なしに電波を同時に送受信して電波環境を改善するパターンから種々に構成可能であるが、好ましくは、図８に示すように構成された増強アンテナパターンを備える。
【００８８】
図８を参照すると、本発明の一実施形態による増強アンテナパターン４１０は、それぞれの給電部の一方の末端が互いに連結された状態で対称状に配置される４つの放射素子パターン４２１、４２２、４２３、４２４を備える。
【００８９】
ここで、４つの放射素子パターン４２１、４２２、４２３、４２４のそれぞれは、正の信号成分として動作する複数の放射素子と負の信号成分として動作する複数の放射素子が給電部を基準としてＶ字状のダイポールアンテナ状に配置されて形成されてもよく、これらの４つの放射素子パターン４２１、４２２、４２３、４２４が給電部を基準として対称状に配置され、且つ、電気的に接続されて前記増強アンテナパターンが形成される。なお、前記Ｖ字状は種々に形成可能であるが、夾角が直角を呈するＶ字状に形成されることが好ましい。
【００９０】
４つの放射素子パターン４２１、４２２、４２３、４２４の対称的な配置について具体的に述べると、４つの放射素子パターン４２１、４２２、４２３、４２４はＶ字状の頂点が揃った状態で対称状に配置されるが、この場合、一つの放射素子パターンは相対向する放射素子パターンと対称をなし、両脇に配置される放射素子パターンとも対称をなす。このため、前記Ｖ字状の放射素子パターンの夾角が直角を呈する場合には、このような対称的な配置により、前記４つの放射素子パターンの全体の形状が図８に示すように十字状もしくはＸ字状になる。
【００９１】
一方、４つの放射素子パターン４２１、４２２、４２３、４２４が対称状に配置された後の電気的な接続は給電部の電気的な接続により行われるが、このような前記給電部の接続はインピーダンス整合が取られて行われることが好ましい。具体的に、第１の放射素子パターン４２１の正の信号成分側の給電部と第４の放射素子パターン４２４の負の信号成分側の給電部がインピーダンス整合されて電気的に接続４７４され、第２の放射素子パターン４２２の正の信号成分側の給電部と第１の放射素子パターン４２１の負の信号成分側の給電部がインピーダンス整合されて電気的に接続４７１され、第３の放射素子パターン４２３の正の信号成分側の給電部と前記第２の放射素子パターンの負の信号成分側の給電部がインピーダンス整合されて電気的に接続４７２され、第４の放射素子パターン４２４の正の信号成分側の給電部と第３の放射素子パターン４２３の負の信号成分側の給電部がインピーダンス整合されて電気的に接続４７３されることが好ましい。
【００９２】
また、これらの４つの放射素子パターン４２１、４２２、４２３、４２４は誘電層の上部面に形成されることが好ましいが、ここで、前記誘電層は、好ましくは、ＰＣＢから形成されてもよい。また、放射素子パターン４２１、４２２、４２３、４２４は様々な材質から形成されてもよく、代表的に、金属、ポリシリコン（Ｐｏｌｙｓｉｌｉｃｏｎ）、セラミック（Ｃｅｒａｍｉｃ）、カーボンファイバ（Ｃａｒｂｏｎ  ｆｉｂｅｒ）、伝導性インキ（Ｃｏｎｄｕｃｔｉｖｅ  ｉｎｋ）、伝導性ペースト（Ｃｏｎｄｕｃｔｉｖｅ  ｐａｓｔｅ）、酸化インジウムスズ（ＩＴＯ：Ｉｎｄｉｕｍ  Ｔｉｎ  Ｏｘｉｄｅ）、炭素ナノチューブ（ＣＮＴ：Ｃａｒｂｏｎ  Ｎａｎｏ  Ｔｕｂｅ）または伝導性高分子などにより形成されてもよい。
【００９３】
図８に基づき、本発明の一実施形態による増強アンテナパターンについてより詳細に説明すると、前記増強アンテナパターンは、給電部４７１、４７２、４７３、４７４を基準として対称状に配置され、互いにインピーダンス整合された状態により電波を再放射する４つの放射素子パターン４２１、４２２、４２３、４２４を備える。
【００９４】
４つの放射素子パターン４２１、４２２、４２３、４２４のうち、先ず、第１の放射素子パターン４２１について述べると、第１の放射素子パターン４２１は、正の信号成分として動作する第１−１の放射素子４６６と、第１−１の放射素子４６６と給電部を基準としてダイポールアンテナ状に直角に配置され、負の信号成分として動作する第１−２の放射素子４３０と、を備える。また、第１−１の放射素子４６６の共振周波数よりも順次に高くなる共振周波数を有する多数の放射素子４６７、４６８、４６９、４７０が第１−１の放射素子４６６の上部に所定の間隔を隔てて順次に配置されて電気的に接続され、第１−２の放射素子４３０の共振周波数よりも順次に高くなる共振周波数を有する多数の放射素子４３１、４３２、４３３、４３４が第１−２の放射素子４３０の上部に所定の間隔を隔てて順次に配置されて電気的に接続される。
【００９５】
次いで、第２の放射素子パターン４２２は、正の信号成分として動作する第２−１の放射素子４３５と、第２−１の放射素子４３５と給電部を基準としてダイポールアンテナ状に直角に配置されて負の信号成分として動作する第２−２の放射素子４４０と、を備えていてもよい。また、第２−１の放射素子４３５の共振周波数よりも順次に高くなる共振周波数を有する多数の放射素子４３６、４３７、４３８、４３９が第２−１の放射素子４３５の上部に所定の間隔を隔てて順次に配置されて電気的に接続され、第２−２の放射素子４４０の共振周波数よりも順次に高くなる共振周波数を有する多数の放射素子４４１、４４２、４４３、４４４が第２−２の放射素子４４０の上部に所定の間隔を隔てて順次に配置されて電気的に接続される。
【００９６】
次いで、第３の放射素子パターン４２３は、正の信号成分として動作する第３−１の放射素子４４５と、第３−１の放射素子４４５と給電部を基準としてダイポールアンテナ状に直角に配置されて負の信号成分として動作する第３−２の放射素子４５０と、を備えている。また、第３−１の放射素子４４５の共振周波数よりも順次に高くなる共振周波数を有する多数の放射素子４４６、４４７、４４８、４４９が第３−１の放射素子４４５の上部に所定の間隔を隔てて順次に配置されて電気的に接続され、第３−２の放射素子４５０の共振周波数よりも順次に高くなる共振周波数を有する多数の放射素子４５１、４５２、４５３、４５４が第３−２の放射素子４５０の上部に所定の間隔を隔てて順次に配置されて電気的に接続される。
【００９７】
次いで、第４の放射素子パターン４２４は、正の信号成分として動作する第４−１の放射素子４５６と、第４−１の放射素子４５６と給電部を基準としてダイポールアンテナ状に直角に配置されて負の信号成分として動作する第４−２の放射素子４６１と、を備えている。また、第４−１の放射素子４５６の共振周波数よりも順次に高くなる共振周波数を有する多数の放射素子４５７、４５８、４５９、４６０が第４−１の放射素子４５６の上部に所定の間隔を隔てて順次に配置されて電気的に接続され、第４−２の放射素子４６１の共振周波数よりも順次に高くなる共振周波数を有する多数の放射素子４６２、４６３、４６４、４６５が第４−２の放射素子４６１の上部に所定の間隔を隔てて順次に配置されて電気的に接続される。
【００９８】
最後に、第１の放射素子パターン４２１と、第２の放射素子パターン４２２と、第３の放射素子パターン４２３及び第４の放射素子パターン４２４の配置について述べると、４つの放射素子パターン４２１、４２２、４２３、４２４はＶ字状の頂点が揃った状態で対称状に配置されるが、この場合、一つの放射素子パターンは相対向する放射素子パターンと対称をなし、両脇に配置される放射素子パターンとも対称をなす。例えば、第１の放射素子パターン４２１について述べると、第１の放射素子パターン４２１は給電部を基準として相対向するように配置される第３の放射素子パターン４２３と対称をなし、両脇に配置される第２の放射素子パターン４２２及び第４の放射素子パターン４２４とも対称状に配置される。このため、前記Ｖ字状の放射素子パターンの夾角が直角である場合には、このような対称的な配置により、前記４つの放射素子パターンの全体の形状が図８に示すように十字状若しくはＸ字状になる。
【００９９】
このような前記増強アンテナパターンは、広い周波数帯域において電波を受信して再放射できるが、このような特性により無線通信システムの電波環境を改善してカバーレッジを拡張するのに用いられる。
【０１００】
具体的に、第１の放射素子パターン４２１に受信された電波信号はインピーダンス整合により最大信号が第３の放射素子パターン４２３に伝達されて放射され、同時に、第３の放射素子パターン４２３に受信された電波信号はインピーダンス整合により最大信号が第１の放射素子パターン４２１に伝達されて放射される。また、第２の放射素子パターン４２２に受信された電波信号はインピーダンス整合により最大信号が第４の放射素子パターン４２４に伝達されて放射され、第４の放射素子パターン４２４に受信された電波信号はインピーダンス整合により最大信号が第２の放射素子パターン４２２に伝達されて放射される。
【０１０１】
一方、第１の放射素子パターン４２１と、第２の放射素子パターン４２２と、第３の放射素子パターン４２３及び第４の放射素子パターン４２４に受信された電波信号は、相対向する放射素子パターンだけではなく、両脇の隣り合う放射素子パターンにも流れ込むが、第１の放射素子パターン４２１に受信された電波信号の一部が第２の放射素子パターン４２２及び第４の放射素子パターン４２４に流れ込んで放射され、第２の放射素子パターン４２２に受信された電波信号の一部が第１の放射素子パターン４２１及び第３の放射素子パターン４２３に流れ込んで放射される。また、第３の放射素子パターン４２３に受信された電波信号の一部が第２の放射素子パターン４２２及び第４の放射素子パターン４２４に流れ込んで放射され、第４の放射素子パターン４２４に受信された電波信号の一部が第１の放射素子パターン４２１及び第３の放射素子パターン４２３に流れ込んで放射される。
【０１０２】
要するに、このような過程により前記増強アンテナパターンは無線信号を受信してインピーダンス整合により最大の効率により再放射し、増強アンテナの周りの電波の増強に寄与する。
【０１０３】
前記増強アンテナパターンの動作と関連する図９乃至図１１を参照すると、増強アンテナパターン４１０における第１の放射素子パターン４２１と、第２の放射素子パターン４２２と、第３の放射素子パターン４２３及び第４の放射素子パターン４２４を基準として給電部４７１、４７４、給電部４７１、４７２、給電部４７２、４７３、給電部４７３、４７４からそれぞれの相手方を眺めた反射係数Ｓ１１、Ｓ２２、Ｓ３３、Ｓ４４を確認できる。
【０１０４】
また、図１２及び図１３を参照すると、増強アンテナパターン４１０における第１の放射素子パターン４２１と、第２の放射素子パターン４２２と、第３の放射素子パターン４２３及び第４の放射素子パターン４２４を基準として給電部４７１、４７４、給電部４７１、４７２、給電部４７２、４７３、給電部４７３、４７４からそれぞれの相手方を眺めた伝達係数Ｓ２１、Ｓ３１、Ｓ４１を確認できる。
【０１０５】
そして、図１４を参照すると、増強アンテナパターン４１０が放射する電波の特性を確認することができる。具体的に、このような前記増強アンテナパターンの電波放射特性は全方向に均一に電波を放射する球状を呈する。
【０１０６】
一方、本発明の一実施形態による増強アンテナパターン４１０は、複数の放射素子から形成されたマルチカップリング領域を備えるが、このような構成により、図８の左側に示すアンテナパターン４００よりも広い帯域幅において無線信号を送受信して電波環境を改善する。具体的に、前記増強アンテナパターンが備える放射素子パターン４２１、４２２、４２３、４２４のそれぞれにマルチカップリング領域が形成され、このようなマルチカップリング領域により帯域幅改善の効果が現れる。
【０１０７】
以下、図１５から図１７に基づき、本発明の一実施形態による放射素子パターン４２１、４２２、４２３、４２４の帯域幅改善効果について説明する。
【０１０８】
図１５を参照すると、放射素子パターン４２１、４２２、４２３、４２４は、図１５に示すＶ字状の放射素子パターン２１０として形成されてもよい。ここで、Ｖ字状の放射素子パターン２１０は、共振周波数の大きさ順に平面上に順次に配置され、正の信号成分として動作する複数の放射素子２１３、２１５、２１７、２１９、２２１及び前記正の信号成分として動作する複数の放射素子と同じ平面上においてダイポールアンテナ状に配置され、共振周波数の大きさ順に順次に配置され、負の信号成分として動作する複数の放射素子２１４、２１６、２１８、２２０、２２２を備えていてもよいが、これらの放射素子の間に前記マルチカップリング領域が形成される。具体的に、前記正の信号成分として動作する複数の放射素子２１３、２１５、２１７、２１９、２２１の間にマルチカップリング領域２２３、２２４、２２５、２２６が形成され、前記負の信号成分として動作する複数の放射素子２１４、２１６、２１８、２２０、２２２の間にマルチカップリング領域２２７、２２８、２２９、２３０が形成される。
【０１０９】
一方、図１７に基づき、このようなＶ字状放射素子パターン２１０の特性について説明すると、放射素子パターン２１０の−１０ｄＢ以下の反射係数Ｓ１１は２．２ＧＨｚから２．６ＧＨｚまで４００ＭＨｚ帯域幅に至るが、このような帯域幅特性は、図１６に示すＶ字状の単一ダイポールアンテナパターン２００の帯域幅に比べて２倍改善されたものである。このため、放射素子パターン２１０が形成するマルチカップリングにより帯域幅改善効果が現れることを確認できる。
【０１１０】
上述した本発明の一実施形態による増強アンテナ及びこれを用いた広告媒体は、電源の接続なしに電波環境が良くない自由空間上の無線信号を同時に送受信して無線通信システムのカバーレッジを拡張できる。
【０１１１】
また、本発明の一実施形態による増強アンテナ及びこれを用いた広告媒体は、電波環境の改善のためのアンテナパターンをシートやステッカーなどの広告媒体に形成し、前記アンテナパターンに広告イメージを形成して機能性広告を実現できる。
【０１１２】
さらに、本発明の一実施形態による増強アンテナ及びこれを用いた広告媒体は、広告媒体に電波環境の改善の効果を与えて、消費者が能動的に広告媒体を生活環境の中の空間に設置可能にする。
【０１１３】
さらに、本発明の一実施形態による増強アンテナ及びこれを用いた広告媒体は、電波環境を改善するアンテナパターンを我々の周りの物体の表面に適用できる。これにより、電波環境の改善が必要とされる電子製品の表面に適用されて当該製品の電波環境の改善に寄与できる。
【０１１４】
さらに、本発明の一実施形態による増強アンテナ及びこれを用いた広告媒体は、端末を多重電波信号環境に露出させずに電波環境を改善すると共に、広告の効果まで得ることができる。
【０１１５】
さらに、本発明の一実施形態による増強アンテナ及びこれを用いた広告媒体は、中継器と超小型基地局の拡張なしに安価に電波環境を改善し、これに加えて広告効果まで得ることができる。
【０１１６】
さらに、本発明の一実施形態による増強アンテナ及びこれを用いた広告媒体は、電源の接続なしに電波環境を改善できるので、環境にやさしい技術として用いられる。
【０１１７】
さらに、本発明の一実施形態による増強アンテナ及びこれを用いた広告媒体は、マルチカップリング誘導により広い周波数帯域幅を持たせることができる。
【０１１８】
上述した本発明の実施形態は例示のために開示されたものであり、本発明における技術分野において通常の知識を有する者であれば、本発明の思想と範囲内において種々の修正、変更、付加を行うことができる筈であり、このような修正、変更及び付加はこの特許請求の範囲に属するものと認めるべきである。
【符号の説明】
【０１１９】
２１０：Ｖ字状放射素子パターン
２１１、２１２、４７１、４７２、４７３、４７４：給電部
２１３：第１の放射素子
２１４：第２の放射素子
２２３、２２４、２２５、２２６、２２７、２２８、２２９、２３０：マルチカップリング
４１０：増強アンテナパターン
４２１：第１の放射素子パターン
４２２：第２の放射素子パターン
４２３：第３の放射素子パターン
４２４：第４の放射素子パターン
４３０：第１−２の放射素子
４３５：第２−１の放射素子
４４０：第２−２の放射素子
４４５：第３−１の放射素子
４５０：第３−２の放射素子
４５６：第４−１の放射素子
４６１：第４−２の放射素子
４６６：第１−１の放射素子
【図１】
2014533477.tif 000003
【図２】
2014533477.tif 000004
【図３】
2014533477.tif 000005
【図４】
2014533477.tif 000006
【図５】
2014533477.tif 000007
【図６】
2014533477.tif 000008
【図７】
2014533477.tif 000009
【図８】
2014533477.tif 000010
【図９】
2014533477.tif 000011
【図１０】
2014533477.tif 000012
【図１１】
2014533477.tif 000013
【図１２】
2014533477.tif 000014
【図１３】
2014533477.tif 000015
【図１４】
2014533477.tif 000016
【図１５】
2014533477.tif 000017
【図１６】
2014533477.tif 000018
【図１７】
2014533477.tif 000019
【国際調査報告】
2014533477.tif 000020
2014533477.tif 000021
2014533477.tif 000022
2014533477.tif 000023